(57)【要約】【課題】作業性がよく落水時に横方向に拡大してエアバッグの膨張に対応しうる救命作業着を提供する。【解決手段】救命作業着１は、合わせ縁３，４に沿って前記エアバッグの膨張で離反しうる雄雌一対の面ファスナ６，７を相対的に３対設けるとともに、前記合わせ縁３に沿った内側に、前記エアバッグの膨張を許容する胴回りを確保しうる幅のマチ８を設け、このマチ８の縁部と前記合わせ縁４に沿った内側に１対のファスナ９、１０を設ける。前記救命作業着１上端に設けた襟部１１には、一方の端縁に設けた突片１２内面と、他方の端縁近傍の外面とに雄雌１対の襟部面ファスナ１３，１４を付設する。救命作業着１装着時には、雄側の襟部面ファスナ１３を雌側の襟部面ファスナ１４に重ね合わせて係合する。【選択図】図２
2006159950.tif 000002
【特許請求の範囲】
【請求項１】
前身頃の両合わせ縁を開閉する前合わせ式の上着体内側に、水に反応して発生したガスの流入で膨張するようになしたエアバッグを着脱可能に設けた救命作業着であって、合わせ縁に沿って前記エアバッグの膨張で離反しうる雄雌一対の面ファスナを相対的に複数対設けるとともに、前記合わせ縁の一方に沿った内側に、前記エアバッグの膨張を許容する胴回りを確保しうる幅のマチを設け、このマチの自由縁部と前記合わせ縁の他方に沿った内側にファスナを設けた救命作業着。
【発明の詳細な説明】
【技術分野】
【０００１】
本発明は、小型船舶などでの船釣りやマリンスポーツをするレジャー客あるいは漁労作業者や海上救助隊員が使用すると好適な、膨張して浮力を発生させるエアバッグを作業用上着体に取り付けた救命作業着に係り、特に、水中に転落した時に水に反応して発生した炭酸ガスにより前記エアバッグを自動的に膨張させ、浮力を得ることが可能なものに関する。
【背景技術】
【０００２】
従来の上記救命作業着には、耐水性、耐寒性を有する作業用上着内側の背中側に膨張式救命具（エアバッグ）を取り付けたものがある。この救命作業着は、海中（水中）への転落時に前記膨張式救命具が水に反応して発生した炭酸ガスで膨張し浮力を得て、着用者が長時間浮くことができる、というものである。
【０００３】
【特許文献１】特開平０７−２１５２８２号公報
【発明の開示】
【発明が解決しようとする課題】
【０００４】
上記従来の救命作業着は、海中への転落により膨張式救命具が膨張したとき、該膨張式救命具が作業用上着内側に配置してあるので、膨張による体積の増加を考慮して作業用上着の胴回りをかなり大きめにする必要があるため、だぶついて作業用上着としての作業性を損なう一方、作業用上着の胴回りを着用者に合ったものにすると、膨張式救命具が完全に膨張することができないという問題があった。
【０００５】
本発明は、前記問題を解消することを課題とし、該課題を解決した救命作業着を提供することを目的とする。
【課題を解決するための手段】
【０００６】
上記目的を達成するために、請求項１に記載の本発明は、前身頃の両合わせ縁を開閉する前合わせ式の上着体内側に、水に反応して発生したガスの流入で膨張するようになしたエアバッグを着脱可能に設けた救命作業着であって、合わせ縁に沿って前記エアバッグの膨張で離反しうる雄雌一対の面ファスナを相対的に複数対設けるとともに、前記合わせ縁の一方に沿った内側に、前記エアバッグの膨張を許容する胴回りを確保しうる幅のマチを設け、このマチの自由縁部と前記合わせ縁の他方に沿った内側にファスナを設けたものである。
【発明の効果】
【０００７】
請求項１に記載の救命作業着は、これを着用した作業員などが船上などで作業する際は、対となる雄雌の面ファスナどうしを係合しておけば上着体のだぶつきがなく作業性を損なうことがない一方、落水事故が発生した際には、エアバッグの膨張圧力によって、面ファスナどうしの係合が解けて両合わせ縁が離反し、マチの幅だけ前身頃が横方向に拡大して胴回りが大きくなるので、エアバッグが完全に膨張できるとともに、着用者は前記膨張による圧迫を受けないという効果を奏する。
【発明を実施するための最良の形態】
【０００８】
次に、本発明の好適な実施形態を添付図面の図１〜図７に基づいて詳細に説明する。ここにおいて、図１は面ファスナどうしを係合した状態の正面図、図２は面ファスナどうしを外し、一方の合わせ縁の下部を裏返した状態の正面図、図３はエアバッグの正面図、図４は面ファスナどうしを係合した状態の合わせ縁部分の拡大横断面図、図５は面ファスナを外した状態の合わせ縁部分の拡大横断面図、図６は図２の一点鎖線Ａで囲った部分の拡大図、図７はガス発生部材の正面図である。
【０００９】
図１、図２に示すように、救命作業着１は、前身頃２の両合わせ縁３，４を開閉する前合わせ式の上着体５内側に、水に反応して発生したガスの流入で膨張するようになしたエアバッグ５を着脱可能に設けてなる。
【００１０】
図２及び図６に示すように、前記合わせ縁３，４には、これらに沿って前記エアバッグ５の膨張で離反しうる雄雌１対の面ファスナ６，７を相対的に３対設けるとともに、前記合わせ縁３に沿った内側には、前記エアバッグ５の膨張を許容する胴回りを確保しうる幅のマチ８を設け、このマチ８の自由縁部と前記合わせ縁４に沿った内側に１対のファスナ９，１０を設ける。
【００１１】
図１及び図２に示すように、前記救命作業着１上端に設けた襟部１１には、一方の端縁に設けた突片１２内面と、他方の端縁近傍の外面とに雄雌１対の襟部面ファスナ１３，１４を付設する。救命作業着１装着時には、雄側の襟部面ファスナ１３を雌側の襟部面ファスナ１４に重ね合わせて係合する。
【００１２】
図１、図５及び図７に示すように、エアバッグ５は、前記前身頃２の合わせ縁３，４近傍の各内側に設けらエアバッグ面ファスナ１５ａに係合するエアバッグ面ファスナ１５と、後身頃上部に設けたエアバッグ面ファスナ（図示せず）にエアバッグ面ファスナ１６によって着脱可能に設けた、ガスが充填されて膨張するバッグ本体１７と、このバッグ本体１７に連結し、水に反応してガスボンベ１８内の圧縮炭酸ガスを膨張ガスとなすガス発生部材１９と、前記バッグ本体１７に着用者が息を吹き込むための吹き込み部材２０とからなる。前記ガス発生部材１９は、手動紐２１を引くことによって手動でガス発生作動を行うことが可能に構成され、前記前身頃２に設け、下端を開放したガス発生部材ポケット２２下端のカバー２２ａの内側に配置され、前記カバー２２ａを捲くり上げて（図２参照）、着用者がガス発生部材１９を一方の手で持って他方の手で前記手動紐２１を引き得るように構成してある。また、前記吹き込み部材２０は、海上などを長時間浮遊しバック本体１７内のガスが減少したときなどに使用するもので、前身頃２に設けた吹き込み部材ポケット２３に収容してある。
【００１３】
図１及び図２に示すように、前記前身頃２には、前記ガス発生部材ポケット２２近傍に位置して、装着者が救助員にその存在を知らせるための呼び笛（図示せず）を収容するための呼び笛ポケット２４を設けるとともに、救命作業着１の両肩部分には、海上などを浮遊する着用者が太陽などの反射光によって救助員にその存在を分かり易くするための反射板２５をそれぞれ設ける。なお、図中符号２６は一般的なポケットである。
【００１４】
以上のように構成した救命作業着１は、着用に際し先ず、一般の上着と同様にして袖部に両腕を通して羽織り、前身頃２のファスナ９，１０どうしを係合して閉じ、マチ８を中ほどで内側に折って、３対の面ファスナ６，７を重ね合わせ係合するとともに、襟部１１において、１対の襟部面ファスナ１３，１４を重ねて係合する。そして、この着用状態にあっては、面ファスナ６，７どうしが係合されているので、だぶつきがなく作業性を損なうことがない。
【００１５】
また、着用者の落水事故が発生した際、エアバッグ５が膨張したときに内側からの膨張圧力によって、面ファスナ６，７どうしが離反し、マチ８幅だけ前身頃２が横方向に拡大するので、着用者は圧迫を受けないとともに、エアバッグ５は完全に膨張する。
【００１６】
なお、本発明は、上記実施形態になんら限定されるものではなく、例えば、ファスナ９，１０はボタンに換えてもよいほか、雄雌の面ファスナ６，７は、それぞれ逆の合わせ縁４，３側に設けてもよい。
【図面の簡単な説明】
【００１７】
【図１】面ファスナどうしを係合した状態の正面図。
【図２】面ファスナどうしを外し、一方の合わせ縁の下部を裏返した状態の正面図。
【図３】エアバッグの正面図。
【図４】面ファスナどうしを係合した状態の合わせ縁部分の拡大横断面図。
【図５】面ファスナどうしを外した状態の合わせ縁部分の拡大横断面図。
【図６】図２の一点鎖線Ａで囲った部分の拡大図。
【図７】ガス発生部材の正面図
【符号の説明】
【００１８】
１    救命作業着
２    前身頃
３，４    合わせ縁
５    エアバッグ
６，７    面ファスナ
８    マチ
９，１０    ファスナ
１１    襟部
１２    突片
１３，１４    襟部面ファスナ
１５，１５ａ，１６    エアバッグ面ファスナ
１７    バッグ本体
１８    ガスボンベ
１９    ガス発生部材
２０    吹き込み部材
２１    手動紐
２２    ガス発生部材ポケット
２２ａ    カバー
２３    吹き込み部材ポケット
２４    呼び笛
２５    反射板
２６    一般的なポケット
【図１】
2006159950.tif 000003
【図２】
2006159950.tif 000004
【図３】
2006159950.tif 000005
【図４】
2006159950.tif 000006
【図５】
2006159950.tif 000007
【図６】
2006159950.tif 000008
【図７】
2006159950.tif 000009